(57)【要約】【課題】  錠ケース１６の外側面から突片１３の折れ曲がり部１５の内側縁までの距離が特に大きな錠装置を使用しなくても、優れた防犯性能を発揮できる開き戸の施錠装置を実現する。【解決手段】  施錠時に上記錠ケース１６の外側面から上記突片１３を突出させて、受板１７ａの受孔１８と係合させる。この突片１３は、水平移動部１４の先端部から上方に折れ曲がり部１５が立ち上がった鎌状であり、施錠時にこの折れ曲がり部１５が、上記受板１７ａの一部で、上記受孔１８の上側に隣接する部分と係合する。この部分に凹部２１を形成して、この受板１７ａの他の部分よりも扉側に偏った部分で、上記折れ曲がり部１５と係合させる。この構成により、上記距離を大きくしなくても、この折れ曲がり部１５と上記凹部２１部分とを係合自在とし、上記課題を解決する。【選択図】  図３
2005344374.tif 000002
【特許請求の範囲】
【請求項１】
開口部の内側に扉を、この扉の一方の縦辺をこの開口部の一方の縦辺に対し揺動自在に支持する状態に建て込んだ開き戸に関し、作動時に上記扉の他方の縦辺と上記開口部の他方の縦辺との変位を阻止する為、この開口部の他方の縦辺の内面に設置した受孔を有する受板と、上記扉の他方の縦辺に設置して、作動時に錠ケースから突片を突出させ、この突片を上記受孔に進入させる錠装置とを備えた開き戸用施錠装置に於いて、この突片は、先端部が折れ曲がった鎌状であり、上記受孔はその上下寸法が、開口部よりも奥側部分が広くなって、この奥側部分に上記突片の先端部を受け入れ可能としたものであり、上記受板のうちで上記受孔に隣接し、この突片の先端部と係合する部分が、この受板の他の部分よりも上記扉側に偏った部分に存在する事を特徴とする開き戸用施錠装置。
【発明の詳細な説明】
【技術分野】
【０００１】
この発明は、一般家屋又はビルディングの出入り口等に設置する開き戸用の施錠装置の改良に関し、優れた防犯性能を有する構造を低コストで実現する事を目的としたものである。
【背景技術】
【０００２】
出入り口等として利用される開口部を開閉する為に、開き戸が広く使用されている。この開き戸は、本発明の実施例を示す図１に示す様に、壁１に設置した開口部２の内周縁部に固定した戸枠３の内側に扉４を、揺動自在に建て込んで成る。即ち、この扉４の一方（図１の右方）の縦辺を、上記開口部２の一方の縦辺に沿って固定した一方の竪枠５に対し、蝶番（図示省略）等のヒンジ部により、揺動自在に支持している。上記開口部２の閉鎖時に上記扉４は、上記一方の竪枠５と、他方の竪枠６と、上枠７と、下枠８とにより構成される上記戸枠３の内側部分に入り込む。この状態で上記扉４をこの戸枠３の内側に保持する為に、この扉４の他方の縦辺と上記他方の竪枠６との間に、周知の係止装置を設けている。この扉４を解放する際には、ハンドル１０によりこの係止装置の係合を外しつつ、この扉４を解放方向に移動させる。
【０００３】
又、上記扉４のうちで上記ハンドル１０の近傍部分には、周知の錠装置１１を設けて、この扉４を施錠できる様にしている。又、近年、防犯対策として、第二の錠装置１２を、この扉４の他方の縦辺と上記他方の竪枠６との間に設ける事が行なわれる様になっている。但し、上記錠装置１１と共に上記第二の錠装置１２を設けても、これら両錠装置１１、１２として一般的な構造のものを使用した場合には、例えば、バールの様な物で、上記扉４の他方の縦辺と上記他方の竪枠６との間隔を拡げ、上記両錠装置１１、１２の係合を外せば、これら両錠装置１１、１２の鍵がなくても、上記扉４を解放できる可能性がある。
【０００４】
この様にしてこの扉４がこじ開けられる事を防止する為には、特許文献１〜３及び非特許文献１に記載されている様な錠装置を使用する事が考えられる。この錠装置は、この非特許文献１に記載されている様に、例えば美和ロック株式会社から「鎌デッド〜錠」として市販されている物で、図１３〜１４に示す様に、先端部が折れ曲がった鎌状の突片１３を有する。この突片１３は、水平移動部１４と折れ曲がり部１５とから成る。施錠時には、錠ケース１６からこの水平移動部１４が水平方向に突出しつつ、上記折れ曲がり部１５が上方に立ち上がる。扉４を閉鎖状態にまで移動させてから施錠操作を行なえば、この折れ曲がり部１５が、上記他方の竪枠６に固定した受板１７に形成した受孔１８の開口部よりも奥で立ち上がる。この状態では、上記突片１３がこの受孔１８から抜け出る事がなくなる。従って、バールの様な物で、上記扉４の他方の縦辺と上記他方の竪枠６との間隔を拡げようとしても、上記錠装置を設置した部分では拡げる事ができず、上記突片１３と上記受孔１８の係合を外せなくなる為、優れた防犯性能を発揮できる。
【０００５】
但し、上記「鎌デッド〜錠」を含め、従来から市販されている、鎌状の突片１３を有する錠装置は、錠ケース１６からのこの突片１３の突出量、特に、この錠ケース１６の外側面から上記折れ曲がり部１５の内側縁までの距離Ｌが、例えば９〜１０mm程度と小さかった。この距離Ｌが小さい場合でも、例えば引戸の様に、各部の寸法誤差に関係なく、上記錠ケース１６の外側面と上記受板１７とを十分に近接させる事が可能な構造に組み付けるのであれば、特に問題を生じない。これに対して、開き戸の場合、戸枠３と扉４との寸法誤差（組み付け誤差を含む）により、上記錠ケース１６の外側面と上記受板１７との距離を必ずしも十分に近づける事はできない場合がある。
【０００６】
この様な場合に、上記距離Ｌが小さいと、上記折れ曲がり部１５を上記受孔１８の開口部よりも奥で立ち上げる事ができず、上述した様な防犯性能を得る事ができない。勿論、上記水平移動部１４を突出量を大きくする等により、上記距離Ｌが大きな錠装置を造れば、上記問題を解決する事はできる。但し、この距離Ｌが大きな錠装置を別途用意する事は、製造作業、部品管理の煩雑さを招き、防犯性能を高めた開き戸装置のコスト上昇の原因となる為、好ましくない。
【０００７】
【特許文献１】特開平１０−２２００８７号公報
【特許文献２】特開平１１−４４１３７号公報
【特許文献３】特開２００４−１０７９８７号公報
【非特許文献１】美和ロックの防犯対策製品一覧／官民合同会議試験合格品、[online]、［平成１６年５月２３日検索］、インターネット＜ＵＲＬ：http://www.miwa-lock.co.jp/kanmin/List_k2.htm ＞
【発明の開示】
【発明が解決しようとする課題】
【０００８】
本発明は、上述の様な事情に鑑みて、錠ケースの外側面から折れ曲がり部の内側縁までの距離が特に大きな錠装置を使用しなくても、優れた防犯性能を発揮できる開き戸の施錠装置を実現すべく発明したものである。
【課題を解決するための手段】
【０００９】
本発明は、開口部の内側に扉を、この扉の一方の縦辺をこの開口部の一方の縦辺に対し揺動自在に支持する状態に建て込んだ開き戸用の施錠装置に関する。
そして、本発明の開き戸用施錠装置は、受板と、錠装置とを備える。
このうちの受板は、施錠装置の作動時に上記扉の他方の縦辺と上記開口部の他方の縦辺との変位を阻止する為、この開口部の他方の縦辺の内面に設置したもので、受孔を有する。
又、上記錠装置は、上記扉の他方の縦辺に設置して、作動時に錠ケースから突片を突出させ、この突片を上記受孔に進入させる。
特に、本発明の開き戸用施錠装置に於いては、上記突片は、先端部が折れ曲がった鎌状である。
又、上記受孔はその上下寸法が、開口部よりも奥側部分が広くなって、この奥側部分に上記突片の先端部を受け入れ可能としたものである。
更に、上記受板のうちで上記受孔に隣接し、上記突片の先端部と係合する部分が、この受板の他の部分よりも上記扉側に偏った部分に存在する。
【発明の効果】
【００１０】
上述の様に構成する本発明の開き戸用施錠装置によれば、錠ケースの外側面から突片の先端部の内側縁までの距離が特に大きな錠装置を使用しなくても、優れた防犯性能を発揮できる開き戸用施錠装置を実現できる。
即ち、受板のうちで受孔に隣接し、上記突片の先端部と係合する部分が、この受板の他の部分よりも上記扉側に偏った部分に存在する分、上記錠ケースの外側面から、この受板のうちで上記突片の先端部と係合する面までの距離を短くできる。この結果、上記錠ケースの外側面からこの突片の先端部の内側縁までの距離が特に大きな錠装置を使用しなくても、この先端部と上記受板の内側面とを係合させて、錠装置の突片が上記受孔から抜け出る事を防止できる。
【実施例】
【００１１】
図１〜１２は、本発明の実施例を示している。尚、戸枠３を構成する一方の竪枠５を、この扉４の一方の縦辺との間に設けたヒンジ部を中心とする揺動変位自在に結合する事で、壁１に設置した開口部２の内側に扉４を建て込む構造は従来から周知の構造である。又、この扉４の他方の縦辺と他方の竪枠６との間に錠装置１１を設ける構造に就いても従来から周知の構造である。更に、この錠装置１１と別に設ける第二の錠装置１２に関しても、特許文献１〜３及び非特許文献１に記載される等により従来から知られている。又、これらの構造に就いては、先に説明した通りである。本実施例の特徴は、上記第二の錠装置１２として、従来から市販されているものと同様の寸法（特に、図１３に示した、錠ケース１６の外側面から折れ曲がり部１５の内側縁までの距離Ｌ）を有するものを使用しても、この折れ曲がり部１５と受板１７ａの一部で受孔１８の上側に隣接する部分とを係合させられる構造を実現する点にある。就いては、重複する説明は省略若しくは簡略にし、以下、本実施例の特徴部分を中心に説明する。
【００１２】
上記他方の竪枠６の下部で、上記扉４を閉鎖位置に移動させた状態で上記第二の錠装置１２に対向する部分に、上記受板１７ａを固定している。この受板１７ａは、ストライキ補強板と呼ばれるもので、例えば２〜３mm程度の厚さを有するステンレス鋼板等、十分な強度及び剛性を有する金属板により、図５〜７に示す様な形状に造られている。即ち、上記受板１７ａは、その中央部に矩形の受孔１８を、上下両端部にねじ孔１９、１９を、これら受孔１８とねじ孔１９、１９との間部分に円形の通孔２０、２０を、それぞれ形成している。又、上記金属板の一部で、上記受孔１８の上下に隣接する部分は、この金属板の表裏方向に関して同方向に膨出させて、当該部分の片面に凹部２１、２１を（他面に凸部を）形成している。上記受板１７ａを上記竪枠６に対し固定した状態で、上記各凹部２１、２１は、上記扉４の他方の縦辺と反対側に（凸部はこの扉４の他方の縦辺側に）存在する。尚、上記凹部２１、２１を上記受孔１８の上下両側に形成する理由は、上下方向に関して、上記受板１７ａの組み付け方向が限定されない様にして、組み付け作業の容易化を図る為である。
【００１３】
上述の様な受板１７ａは、図８に示す様な、ストライキケースと呼ばれるカバー２２と、図９に示す様な水密材２３と、図１０に示す様な第二の水密材２４と、図１１に示す様な、ストライキ裏板と呼ばれるバックアッププレート２５と、図１２に示す様な、ストライキと呼ばれる表面板３７と共に、図２〜３に示す様に、上記竪枠６に形成した取付孔２６部分に固定している。
【００１４】
上記カバー２２は、例えば厚さが０．８mm程度のステンレス鋼製の薄板に絞り加工等の塑性加工を施す事により造られたもので、側方が開口した矩形箱状のカバー部２７と、このカバー部２７の開口部の周囲に設けられたフランジ部２８とを備える。このフランジ部２８の両端部には、円形の通孔２９、２９を、上記受板１７ａの通孔２０、２０と同じピッチで形成している。
【００１５】
又、上記水密材２３は、ＣＲスポンジ等の弾性材製で、中央部に上記カバー部２７の開口部と合致する矩形の透孔３０を、両端部に上記フランジ部２８の通孔２９、２９と合致する円形の通孔３１、３１を、それぞれ形成している。
又、上記第二の水密材２４は、ＣＲスポンジ等の弾性材製で、中央部に上記受板１７ａに上記扉４の他方の縦辺側に向けて設けた凸部を挿入自在な矩形の透孔３２を、両端部に上記受板１７ａの両端部のねじ孔１９、１９と合致する通孔３３、３３を、これら両通孔３３、３３と上記透孔３２との間部分に、上記フランジ部２８の通孔２９、２９及び上記水密材２３の通孔３１、３１と合致する円形の通孔３４、３４を、それぞれ形成している。
【００１６】
又、上記バックアッププレート２５は、例えば厚さが２〜３mm程度のステンレス鋼板又は炭素鋼板等、十分な強度及び剛性を有する金属板により造られたもので、中央部に上記カバー部２７を挿通自在な矩形の透孔３５を、両端部に上記フランジ部２８の通孔２９、２９及び上記両水密材２３、２４の通孔３１、３４と合致するねじ孔３６、３６を、それぞれ形成している。尚、図示の例では、上記バックアッププレート２５の両端部に折れ曲がり部４１、４１を形成しているが、これら両折れ曲がり部４１、４１は、竪枠の断面形状が閉鎖状である場合に、上記両ねじ孔３６、３６にねじを螺合させる際に、この螺合作業を容易に行なえる様にする為に設けたものである。図２に示す様に、竪枠６の断面形状が開いている場合には、上記両折れ曲がり部４１、４１は不要である。
【００１７】
更に、前記表面板３７は、厚さが１mm程度で、表面をバレル等により研摩されたステンレス鋼板により造られたもので、一端縁を直角に折り曲げて成る。又、中央部に、前記受板１７ａの受孔１８と合致する挿通孔３８を形成している。又、両端部にこの受板１７ａのねじ孔１９、１９及び上記第二の水密材２４の通孔３３、３３と合致する円形の通孔３９、３９を形成している。更に、これら両通孔３９、３９と上記挿通孔３８との間部分に、上記バックアッププレート２５のねじ孔３６、３６及び上記両水密材２３、２４の通孔３１、３４と合致する円形の通孔４０、４０を形成している。
【００１８】
それぞれが上述の様に形成された、上記各部材１７ａ、２２、２３、２４、２５、３７は、図２〜３に示す様に組み付ける。即ち、上記バックアッププレート２５と上記表面板３７との間で、前記カバー２２のフランジ部２８と、上記水密材２３と、上記受板１７ａと、上記第二の水密材２４と、上記竪枠６の一部で前記取付孔２６の周囲部分とを挟持した状態に組み付ける。そして、上記表面板３７の通孔３９、４０に挿通したねじ（図示省略）を、上記受板１７ａのねじ孔１９、１９及び上記バックアッププレート２５のねじ孔３６、３６に螺合し更に緊締する。この状態で、上記受板１７ａを含む上記各部材１７ａ、２２、２３、２４、２５、３７が、上記竪枠６の所定部分、即ち、前記扉４を閉鎖位置に移動させた状態で、前記第二の錠装置１２と対向する部分に固定される。
【００１９】
上記扉４を閉鎖位置に移動させた状態で、上記第二の錠装置１２を作動させると、この第二の錠装置１２の錠ケース１６から突片１３を構成する水平移動部１４が突出し、この水平移動部１４の先端部が上記受板１７ａの受孔１８内に入り込むと共に、この水平移動部１４の先端部から折れ曲がり部１５が立ち上がる。この様にして立ち上がった折れ曲がり部１５は、上記受板１７ａの一部で上記受孔１８の上側に隣接する部分と係合する。この状態では、バール等により上記扉４と上記竪枠６との間隔を拡げようとしても、上記折れ曲がり部１５と上記受板１７ａとの係合により、容易には拡げられない。この為、上記扉４を開くまでに要する時間が長くなって、優れた防犯効果を得られる。
【００２０】
特に、本実施例の開き戸用施錠装置によれば、上記錠ケース１６の外側面から、上記突片１３の先端部である、上記折れ曲がり部１５の内側縁までの距離Ｌ（図１３参照）が特に大きな錠装置を使用しなくても、優れた防犯性能を発揮できる開き戸用施錠装置を実現できる。即ち、上記受板１７ａのうちで上記受孔１８の上側に隣接し、上記折れ曲がり部１５と係合する部分が、この受板１７ａの他の部分よりも上記扉側４に偏った部分に存在する分、上記錠ケース１６の外側面から、上記受板１７ａのうちで上記折れ曲がり部１５と係合する面、即ち、前記凹部２１の底面までの距離を短くできる。この結果、上記錠ケース１６の外側面から上記折れ曲がり部１５の内側縁までの距離Ｌが特に大きな錠装置を使用しなくても、この折れ曲がり部１５と上記受板１７ａの内側面のうちで、上記凹部２１の底面とを係合させて、上記第二の錠装置１２の突片１３が上記受孔１８から抜け出る事を防止できる。
【図面の簡単な説明】
【００２１】
【図１】本発明の実施例を示す、施錠装置を組み込んだ開き戸の正面図。
【図２】図１の拡大イ−イ断面図。
【図３】図２の下方から見た図。
【図４】図３の左方から見た側面図。
【図５】受板の平面図及び側面図。
【図６】図５のロ−ロ断面図。
【図７】同ハ−ハ断面図。
【図８】カバーの平面図及び側面図及び正面図。
【図９】水密材の平面図及び側面図。
【図１０】第二の水密材の平面図及び側面図。
【図１１】バックアッププレートの平面図及び側面図及び正面図。
【図１２】表面板の平面図及び側面図及び正面図。
【図１３】第二の錠装置の正面図。
【図１４】図１３の左方から見た図。
【符号の説明】
【００２２】
１    壁
２    開口部
３    戸枠
４    扉
５    竪枠
６    竪枠
７    上枠
８    下枠
１０    ハンドル
１１    錠装置
１２    第二の錠装置
１３    突片
１４    水平移動部
１５    折れ曲がり部
１６    錠ケース
１７、１７ａ  受板
１８    受孔
１９    ねじ孔
２０    通孔
２１    凹部
２２    カバー
２３    水密材
２４    第二の水密材
２５    バックアッププレート
２６    取付孔
２７    カバー部
２８    フランジ部
２９    通孔
３０    透孔
３１    通孔
３２    透孔
３３    通孔
３４    通孔
３５    透孔
３６    ねじ孔
３７    表面板
３８    挿通孔
３９    通孔
４０    通孔
４１    折れ曲がり部
【図１】
2005344374.tif 000003
【図２】
2005344374.tif 000004
【図３】
2005344374.tif 000005
【図４】
2005344374.tif 000006
【図５】
2005344374.tif 000007
【図６】
2005344374.tif 000008
【図７】
2005344374.tif 000009
【図８】
2005344374.tif 000010
【図９】
2005344374.tif 000011
【図１０】
2005344374.tif 000012
【図１１】
2005344374.tif 000013
【図１２】
2005344374.tif 000014
【図１３】
2005344374.tif 000015
【図１４】
2005344374.tif 000016